(57)【要約】      （修正有）【課題】構造が簡単で、軽量で高強度であり、レンズの取り付けが容易で、レンズの摩耗が低減され、メガネの使用寿命が向上される、複合フレームとレンズとの取付構造を含むメガネを提供する。【解決手段】フレームと、レンズ６とを備え、前記フレームは、前記レンズを収容するための収容部を含む。前記フレームは、被覆層４と複合充填層５とを含み、前記被覆層が前記複合充填層の外周側に設けられ、前記複合充填層の前記収容部に近接する側が前記被覆層から露出することにより、複合充填層が被覆されて、フレームの美観を向上させることができ、複合充填層によって、フレームの強度を向上させ、使用寿命を延長することができ、前記複合充填層の前記収容部に近接する側に凸部３が設けられ、前記レンズには前記凸部に嵌合する凹部７が設けられ、凸部と凹部との嵌合により、レンズの迅速な取り付けが可能になる。【選択図】図４
0003233528.tif 000002
【実用新案登録請求の範囲】
【請求項１】
フレーム（１）と、レンズ（６）とを備え、前記フレーム（１）は、前記レンズ（６）を収容するための収容部（２）を含む、複合フレームとレンズとの取付構造を含むメガネであって、前記フレーム（１）は、被覆層（４）と、前記フレーム（１）の強度を向上させるための複合充填層（５）とを含み、前記被覆層（４）が前記複合充填層（５）の外周側に設けられ、前記複合充填層（５）の前記収容部（２）に近接する側が前記被覆層（４）から露出し、前記複合充填層（５）の前記収容部（２）に近接する側に凸部（３）が設けられ、前記レンズ（６）には、前記凸部（３）に嵌合する凹部（７）が設けられていることを特徴とする複合フレームとレンズとの取付構造を含むメガネ。
【請求項２】
前記被覆層（４）は、木材層であることを特徴とする請求項１に記載の複合フレームとレンズとの取付構造を含むメガネ。
【請求項３】
前記複合充填層（５）は、炭素繊維、複合チタン合金又はアルミニウム合金の材質であることを特徴とする請求項１に記載の複合フレームとレンズとの取付構造を含むメガネ。
【請求項４】
前記凸部（３）の前記レンズ（６）に近接する側に面取りが設けられていることを特徴とする請求項１に記載の複合フレームとレンズとの取付構造を含むメガネ。
【請求項５】
前記被覆層（４）の前記複合充填層（５）から離れた側に装飾層が設けられていることを特徴とする請求項１に記載の複合フレームとレンズとの取付構造を含むメガネ。
【請求項６】
前記装飾層は、透明保護塗料、つや消し保護塗料又は保護ワックスであることを特徴とする請求項５に記載の複合フレームとレンズとの取付構造を含むメガネ。
【請求項７】
前記装飾層は、前記被覆層（４）を研磨することによって形成されることを特徴とする請求項５に記載の複合フレームとレンズとの取付構造を含むメガネ。
【請求項８】
前記凸部（３）は、長方形に配置され、少なくとも２つが対角線上に配置されていることを特徴とする請求項１に記載の複合フレームとレンズとの取付構造を含むメガネ。
【請求項９】
前記凸部（３）の前記レンズ（６）に近接する側に補強部（８）が設けられ、前記凹部（７）が前記凸部（３）及び前記補強部（８）に嵌合されることを特徴とする請求項１に記載の複合フレームとレンズとの取付構造を含むメガネ。
【請求項１０】
前記補強部（８）の外周サイズが前記凸部（３）の外周サイズよりも小さいことを特徴とする請求項９に記載の複合フレームとレンズとの取付構造を含むメガネ。
【考案の詳細な説明】
【技術分野】
【０００１】
本考案は、メガネの技術分野に関し、詳しくは、複合フレームとレンズとの取付構造を含むメガネに関する。
【背景技術】
【０００２】
フレーム及びレンズはメガネの重要な構成要素であり、高強度及び軽量化がフレームの将来の動向である。従来技術におけるフレームは金属、木材などの材料が多く、金属材料の強度が高いが、フレームが重く、木材材料の重量が軽いが、壊れやすい。レンズを取り付ける場合には、従来技術では、レンズの周りにフランジを設け、フレームのレンズを収容するための部分にはフランジと嵌合する凹溝を設けることが多く、この方法は、フレーム及びレンズの加工難易度が高く、レンズの研磨難易度が高く、不良品が生じやすくなる。中国実用新案第２１０５３４４５５号明細書は、多層木質層、多層炭素繊維層及びアルミニウム合金層を設けることによりフレームの強度を向上させ、フレームにレンズ係合溝を設けることによりレンズを取り付ける木質複合メガネを提案し、この取り付け方法は、レンズ周縁の摩耗を招きやすく、メガネの使用寿命に影響を与える。
【先行技術文献】
【特許文献】
【０００３】
【特許文献１】中国実用新案第２１０５３４４５５号明細書
【考案の概要】
【考案が解決しようとする課題】
【０００４】
上述した欠陥を克服するために、本考案は、構造が簡単で、軽量で高強度であり、レンズの取り付けが容易で、レンズの摩耗が低減され、メガネの使用寿命が向上される、複合フレームとレンズとの取付構造を含むメガネを提供することを目的とする。
【課題を解決するための手段】
【０００５】
上記目的を達成するための本考案の技術的手段は、フレームと、レンズとを備え、前記フレームは、前記レンズを収容するための収容部を含む、複合フレームとレンズとの取付構造を含むメガネであって、前記フレームは、被覆層と、前記フレームの強度を向上させるための複合充填層とを含み、前記被覆層が前記複合充填層の外周側に設けられ、前記複合充填層の前記収容部に近接する側が前記被覆層から露出し、前記複合充填層の前記収容部に近接する側に凸部が設けられ、前記レンズには、前記凸部に嵌合する凹部が設けられている。
【０００６】
好ましくは、前記被覆層は木材層である。
【０００７】
好ましくは、前記複合充填層は、炭素繊維、複合チタン合金又はアルミニウム合金の材質である。
【０００８】
好ましくは、前記凸部の前記レンズに近接する側に面取りが設けられる。
【０００９】
好ましくは、前記被覆層の前記複合充填層から離れた側に装飾層が設けられる。
【００１０】
好ましくは、前記装飾層は、透明保護塗料、つや消し保護塗料又は保護ワックスである。
【００１１】
好ましくは、前記装飾層は、前記被覆層を研磨することによって形成される。
【００１２】
好ましくは、前記凸部は、長方形に配置され、少なくとも２つが対角線上に配置される。
【００１３】
好ましくは、前記凸部の前記レンズに近接する側に補強部が設けられ、前記凹部が前記凸部及び前記補強部に嵌合される。
【００１４】
好ましくは、前記補強部の外周サイズが前記凸部の外周サイズよりも小さい。
【考案の効果】
【００１５】
従来技術と比較して、本考案の有益な効果は、被覆層が複合充填層の外周側に設けられることにより、複合充填層が外部に露出することがなく、フレームの美観を向上させることができ、複合充填層の収容部に近接する側が被覆層から露出し且つ凸部が設けられ、レンズには凸部に嵌合する凹部が設けられ、それにより、レンズの取り付けが容易になり、取り付けが強固になり、レンズが脱落しにくく、使用性が良好であり、収容部及びレンズの加工が容易になり、工程が節約され、経済的である。
【図面の簡単な説明】
【００１６】
【図１】本考案の好ましい実施例による一体式フルフレームメガネのフレーム構造の概略図である。
【図２】本考案の好ましい実施例による別体式フルフレームメガネのフレーム構造の概略図である。
【図３】本考案の好ましい実施例による一体式ハーフフレームメガネのフレーム構造の概略図である。
【図４】本考案の好ましい実施例によるフレームとレンズとの嵌合状態を示す構造概略図である。
【図５】本考案の好ましい実施例によるレンズの構造概略図である。
【図６】本考案の別の好ましい実施例によるフレームとレンズとの嵌合状態を示す構造概略図である。
【考案を実施するための形態】
【００１７】
以下、本考案の利点及び特徴を当業者が容易に理解し、本考案の保護範囲をより明確にするために、図面を参照しながら本考案の好ましい実施例を詳細に説明する。
【００１８】
図１から図５に示されるように、本実施例における複合フレームとレンズとの取付構造を含むメガネは、フレーム１と、レンズ６とを備え、フレーム１は、レンズ６を収容するための、レンズ６のサイズと一致する収容部２を含み、フレーム１は、被覆層４と、複合充填層５とを含み、被覆層４が複合充填層５の外周側に設けられ、理解を容易にするために、複合充填層５の外周側とは複合充填層５のすべての面を指し、このように設けることにより、フレーム１の美観性が向上し、複合充填層５の収容部２に近接する側のみが被覆層４から露出し、複合充填層５は、複合充填層５のレンズ６に近接する側に設けられる凸部３を含み、レンズ６には、凸部３に嵌合する凹部７が設けられ、レンズ６を取り付ける場合に、レンズ６の凹部７を凸部３に係合することで、レンズ６の取り付けが実現され、凸部３は、実際の必要に応じて位置及び大きさを調整することができる。
【００１９】
本実施例において、複合充填層５の外周側への被覆層４の被覆を実現するために、２組の被覆層４がそれぞれ複合充填層５の両側に設けられ、複合充填層５における凸部３の加工が容易になるように、複合充填層５の収容部２に近接する側が、被覆層４の収容部２に近接する側を超えているが、本考案は、被覆層４の配置方法を限定しない。
【００２０】
図１から図３に示されるように、本考案は、一体式フルフレームメガネ、一体式ハーフフレームメガネ又は別体式メガネに使用可能であり、これらに限定されるものではないと理解されたい。
【００２１】
本実施例において、被覆層４は木材層であり、複合充填層５は炭素繊維層であり、木材層は金属材質より軽量で使用性が良好であり、炭素繊維層はフレーム１の靭性や強度を高めるために用いられるため、レンズ６を取り付けるときの操作が容易であり、フレーム１が損傷しにくく、使用寿命が長くなる。
【００２２】
好ましくは、複合充填層５は、複合チタン合金、アルミニウム合金又は他の複合繊維材料であってもよい。
【００２３】
図４に示されるように、本実施例において、凸部３のレンズ６に近接する側に面取りが設けられ、凸部３はＲ面取り又は略Ｒ面取りされてもよく、これにより、レンズ６の取り付けがより強固になり、脱落しないようになる。
【００２４】
好ましくは、複合充填層５のレンズ６から離れた側に面取りが設けられ、面取りはＲ面取り又は略Ｒ面取りであってもよく、これにより、被覆層４と複合充填層５との嵌合がより安定し、フレーム１の使用寿命が向上する。
【００２５】
好ましくは、被覆層４の複合充填層５から離れた側に装飾層が設けられ、装飾層は、必要に応じて、被覆層４の外周部への保護を強化するために透明保護塗料又はつや消し保護塗料などを用いるか、又は、ワックス塗布、精密研磨などにより被覆層４の外周部を処理することができる。
【００２６】
好ましくは、凸部３は、長方形に配置され、且つ少なくとも２つ設けられ、凸部３が２つ設けられる場合、２つの凸部３は対角線上に配置され、すなわち、一方の凸部３が収容部２の左下側に設けられ、他方の凸部３が収容部２の右上側に設けられるか、又は、一方の凸部３が収容部２の左上側に設けられ、他方の凸部３が収容部２の右下側に設けられる。
【００２７】
本実施例において、凸部３は４つ設けられ、４つの凸部３は長方形を形成している。
【００２８】
本実施例において、凸部３は複合充填層５と一体に設けられる。
【００２９】
図６に示されるように、本考案の別の実施例において、凸部３のレンズ６に近接する側に補強部８が設けられ、補強部８の外周サイズが凸部３の外周サイズよりも小さくなっており、凹部７が凸部３及び補強部８に嵌合されることで、レンズ６の取り付けがより強固になる。
【００３０】
本考案の動作原理は以下の通りである。
被覆層４の間に複合充填層５を追加し、収容部２を加工するときに、凸部３の位置を確保しておき、複合充填層５の収容部２に近接する側を被覆層４から露出させて凸部３を形成し、収容部２の内側の周縁に溝を加工することに比べて、工程が節約される。レンズ６を作製するときには、レンズ６を収容部２の形状に適合する形状に研磨し、次に、凸部３の位置に従って対応する凹部７を研磨し、レンズ６の研磨工程が簡素化され、加工コストが節約される。レンズ６を取り付けるときには、凸部３が凹部７に嵌合されるように、収容部２に向かって外方に拡張する力を加え、レンズ６が取り付けられた後、レンズ６は、複合充填層５の復元力によりしっかり係合され、脱落しにくく、使用寿命が延長する。
【００３１】
以上の実施形態は本考案の技術的思想及び特徴を説明するためのものに過ぎず、当業者に本考案の内容を理解させたうえで実施させることを目的とし、本考案の保護範囲を限定するものではない。従って、本考案の精神に基づいて行われた同等の変更又は修飾はいずれも本考案の保護範囲内に含まれるものとする。
【符号の説明】
【００３２】
１  フレーム
２  収容部
３  凸部
４  被覆層
５  複合充填層
６  レンズ
７  凹部
８  補強部
【図１】
0003233528.tif 000003
【図２】
0003233528.tif 000004
【図３】
0003233528.tif 000005
【図４】
0003233528.tif 000006
【図５】
0003233528.tif 000007
【図６】
0003233528.tif 000008